(57)【要約】【課題】メモリーに対して、特定の部位以外からのアクセスを不可能とした記録メディアカートリッジの提供を課題とする。【解決手段】ライブラリー７０に収容されるとともに、把持機構７２によってライブラリー７０から取り出され、ドライブ装置１００へ装填される記録メディアカートリッジ１０において、記録メディアＴが収容されるケース１２と、記録メディアＴに関する情報が記憶され、把持機構７２及びドライブ装置１００に設けられた読取書込装置６６、６８が非接触でアクセス可能なメモリー５０と、メモリー５０読取書込装置６６、６８とのアクセス部位以外を電磁遮蔽する遮蔽部材６０とを備える。【選択図】      図２
2004348862.tif 000002
【特許請求の範囲】
【請求項１】
ライブラリーに収容されるとともに、把持機構によってライブラリーから取り出され、ドライブ装置へ装填される記録メディアカートリッジであって、
記録メディアが収容されるケースと、
前記記録メディアに関する情報が記憶され、前記把持機構及び前記ドライブ装置に設けられた読取書込装置が非接触でアクセス可能なメモリーと、
前記メモリーの前記読取書込装置とのアクセス部位以外を電磁遮蔽する遮蔽部材と、
を備えたことを特徴とする記録メディアカートリッジ。
【請求項２】
前記メモリーを前記ケースが有する傾斜面に配置したことを特徴とする請求項１に記載の記録メディアカートリッジ。
【請求項３】
前記遮蔽部材を前記アクセス部位の反対側に設け、該遮蔽部材の大きさを、前記メモリーと同じか、それ以上としたことを特徴とする請求項１又は２に記載の記録メディアカートリッジ。
【請求項４】
前記遮蔽部材は、前記メモリーと０．５ｍｍ〜２．５ｍｍ離間されていることを特徴とする請求項１乃至３の何れかに記載の記録メディアカートリッジ。
【請求項５】
前記遮蔽部材を支持する支持部材を、前記ケースに突設したことを特徴とする請求項４に記載の記録メディアカートリッジ。
【請求項６】
前記遮蔽部材と前記メモリーとの間に、離間部材を介在させたことを特徴とする請求項４に記載の記録メディアカートリッジ。
【請求項７】
前記遮蔽部材又は前記離間部材を支持して、該離間部材と前記メモリーとを非接触にする支持部材を、前記ケースに突設したことを特徴とする請求項６に記載の記録メディアカートリッジ。
【請求項８】
前記離間部材は、前記メモリーと接触して該メモリーを少なくとも一方向から位置規制することを特徴とする請求項６に記載の記録メディアカートリッジ。
【請求項９】
前記離間部材は、弾性体であることを特徴とする請求項８に記載の記録メディアカートリッジ。
【請求項１０】
前記離間部材は、非導電性材料で構成されていることを特徴とする請求項８又は９に記載の記録メディアカートリッジ。
【発明の詳細な説明】
【０００１】
【発明の属する技術分野】
本発明は、主にコンピューター等の記録再生媒体として使用される磁気テープや光磁気ディスク等の記録メディアをケース内に収容してなる記録メディアカートリッジに関し、更に詳しくは、その記録メディアカートリッジ内に設けるメモリーに関する。
【０００２】
【従来の技術】
従来から、コンピューター等のデータ記録再生媒体として使用されている記録メディアカートリッジとしては、例えば磁気テープを単一のリールに巻装し、そのリールをケース内に収容してなる磁気テープカートリッジが知られている。この磁気テープの先端には、リーダーブロックやリーダーピン、リーダーテープといったリーダー部材が設けられており、そのリーダー部材をドライブ装置に設けられた引出手段が磁気テープカートリッジから引き出し、それに固着された磁気テープをドライブ装置の巻取リールに巻装させるようになっている。
【０００３】
また、磁気テープカートリッジの下面に穿設された開口から露出しているリールの下面中央にはリールギアが環状に刻設されており、ドライブ装置側の回転シャフトに設けられた駆動ギアがそのリールギアに噛合することにより、リールが回転駆動するように構成されている。したがって、磁気テープカートリッジのリール及びドライブ装置の巻取リールを同期して回転させることにより、磁気テープにデータを記録したり、磁気テープに記録されたデータの再生ができる。
【０００４】
このような磁気テープカートリッジは、通常、ライブラリーと呼ばれる収納庫に多数収納されて保管されており、ロボットハンド等を備えた把持機構によって、所望とする磁気テープカートリッジの両側壁の後端側が把持されて、ライブラリーの各収納室から取り出されるようになっている。そして、そのまま複数のドライブ装置の１つに装填されることにより、その磁気テープカートリッジにデータの記録又はその磁気テープカートリッジに記録されていたデータの再生が行われるようになっている。
【０００５】
また、磁気テープカートリッジの後壁内側には、その磁気テープカートリッジの記録容量や記録形式等の各種情報を記憶したカード型（薄板状）のメモリーボードが内設されている。このメモリーボードは、非接触でアクセス可能となるように、一方の面には電磁波（電気信号）を送受信するアンテナが設けられ、そのアンテナを設けた面が通信面（アクセス面）とされている。そして、このメモリーボードに対して、非接触で情報の読み取り及び書き込みを行う（電磁波を送受信する）読取書込装置がライブラリーのロボットハンドやドライブ装置に設けられている。
【０００６】
したがって、ライブラリーから取り出された磁気テープカートリッジは、複数設置されているドライブ装置の１つに効率よく装填可能である。すなわち、予めドライブ装置の種類等を制御装置に認識させておけば、メモリーボードに記憶されている各種情報をロボットハンドに設けられた読取書込装置が読み取ることにより、その磁気テープカートリッジにデータの記録又は記録されたデータの再生ができるドライブ装置を速やかに判断できるので、ロボットハンド等の把持機構の動作にロスがないようにできる。
【０００７】
図１５には従来の磁気テープカートリッジ１１０が示されている。図の矢印Ｐは磁気テープカートリッジ１１０のドライブ装置への装填方向を表している。この図１５で示すように、メモリーボード１２０は磁気テープカートリッジ１１０の後壁１１２Ｄ（矢印Ｐ方向を向く壁は前壁１１２Ａとする）の内側に所定角度傾斜した姿勢で配設されている。
【０００８】
すなわち、ロボットハンドは磁気テープカートリッジ１１０の左右の側壁１１２Ｂ、１１２Ｃの後端側を把持する構成であるため、読取書込装置６８は、磁気テープカートリッジ１１０の後面（後壁１１２Ｄ）側からメモリーボード１２０へ非接触でアクセスする構成になっている。そして、ドライブ装置に装填された磁気テープカートリッジ１１０は、バケット１０４（図１４参照）が下降することによって完全に装填される構成であるため、読取書込装置６６は、磁気テープカートリッジ１１０の下面（底板１１４）側からメモリーボード１２０へ非接触でアクセスする構成になっている。
【０００９】
したがって、メモリーボード１２０は後面（後壁１１２Ｄ）側及び下面（底板１１４）側の両方向（２方向）からアクセス可能なように、側面視４５°の仰角で配置されて、その通信面（アクセス面）１２０Ａが後面（後壁１１２Ｄ）側及び下面（底板１１４）側の両方を向くようになっている（例えば、特許文献１参照）。なお、読取書込装置６６、６８は、メモリーボード１２０に対して非接触でアクセスするので、各種情報は精度よく読み書きされる。
【００１０】
【特許文献１】
特開２００１−２３３４２公報
【００１１】
【発明が解決しようとする課題】
このように、メモリーボード１２０は、磁気テープカートリッジ１１０のケース内において、上記傾斜角度で配置されるが、このとき、メモリーボード１２０の通信面（アクセス面）１２０Ａとは反対側の面（以下、「非アクセス面」という）１２０Ｂは、磁気テープカートリッジ１１０の上面（天板１１６）を向く。
【００１２】
しかしながら、メモリーボード１２０は薄板状のカード型であるため、その非アクセス面（本来アクセスする面ではない面）１２０Ｂ側からもメモリーボード１２０にアクセス可能であり、そのため、例えば磁気テープカートリッジ１１０の上面（天板１１６）に電磁波や磁場等を発生する機器（電気製品や磁気製品）等を載置又は近づけた場合には、メモリーボード１２０に記憶されている各種情報が、その電磁波や磁場等の影響によって、消去されたり、破損してしまうといった問題が発生するおそれがあった。
【００１３】
つまり、非接触で読み書きされるメモリーボード１２０を備えた磁気テープカートリッジ１１０にあっては、そのメモリーボード１２０に記憶された各種情報を保護する観点から、ライブラリー（ロボットハンド）の読取書込装置６８がアクセス可能な後面（後壁１１２Ｄ）側と、ドライブ装置の読取書込装置６６がアクセス可能な下面（底板１１４）側以外の面側からのアクセスが不可能となっていることが好ましい。
【００１４】
そこで、本発明は、メモリー（メモリーボード）に対して、特定の部位（面）以外の部位（面）からのアクセスを不可能とした磁気テープカートリッジ等の記録メディアカートリッジを得ることを目的とする。
【００１５】
【課題を解決するための手段】
上記の目的を達成するために、本発明に係る請求項１に記載の記録メディアカートリッジは、ライブラリーに収容されるとともに、把持機構によってライブラリーから取り出され、ドライブ装置へ装填される記録メディアカートリッジであって、記録メディアが収容されるケースと、前記記録メディアに関する情報が記憶され、前記把持機構及び前記ドライブ装置に設けられた読取書込装置が非接触でアクセス可能なメモリーと、前記メモリーの前記読取書込装置とのアクセス部位以外を電磁遮蔽する遮蔽部材と、を備えたことを特徴としている。
【００１６】
請求項１の発明では、メモリーの読取書込装置とのアクセス部位以外が、遮蔽部材によって電磁遮蔽される。つまり、メモリーは、そのアクセス部位以外からは、アクセスが不可能となっている。したがって、メモリーは、そのアクセス部位以外の方向からの電磁波や磁場等の影響を回避することができる。このため、例えば、その方向に電磁波や磁場等を発生する機器等を置いたりしても、メモリーに記憶されている情報（データ）が、それによって消去されたり、破損する心配がない。また、ドライブ装置内では、電気を帯びた部位や磁気を帯びた部位が多数存在するが、それらによる影響もメモリーが受けないようにできる。
【００１７】
また、請求項２に記載の記録メディアカートリッジは、請求項１に記載の記録メディアカートリッジにおいて、前記メモリーを前記ケースが有する傾斜面に配置したことを特徴としている。
【００１８】
請求項２の発明では、メモリーをケースが有する傾斜面に配置したので、メモリーのアクセス部位は、少なくともケースの２面（２方向）を向く。したがって把持機構及びドライブ装置において、読取書込装置の配設位置の自由度を向上させることができる。
【００１９】
また、請求項３に記載の記録メディアカートリッジは、請求項１又は２に記載の記録メディアカートリッジにおいて、前記遮蔽部材を前記アクセス部位の反対側に設け、該遮蔽部材の大きさを、前記メモリーと同じか、それ以上としたことを特徴としている。
【００２０】
請求項３の発明では、遮蔽部材をアクセス部位の反対側に設け、その遮蔽部材の大きさを、メモリーと同じか、それ以上としたので、メモリーに対して有害な電磁波や磁場等を好適に遮蔽することができる。
【００２１】
また、請求項４に記載の記録メディアカートリッジは、請求項１乃至３の何れかに記載の記録メディアカートリッジにおいて、前記遮蔽部材が、前記メモリーと０．５ｍｍ〜２．５ｍｍ離間されていることを特徴としている。
【００２２】
請求項４の発明では、遮蔽部材がメモリーと０．５ｍｍ〜２．５ｍｍ離間されているので、メモリーに対して、読取書込装置によるアクセスの精度が損なわれることなく、好適に有害な電磁波や磁場等を遮蔽することができる。つまり、この離間距離が０．５ｍｍより短い（接触状態も含む）と、読取書込装置によるアクセスが不可能になったり、可能であっても精度よく行われない。また、２．５ｍｍより長いと、電磁波や磁場等を充分に遮蔽できないため、メモリーに記憶された情報（データ）が破損するおそれがある。
【００２３】
また、請求項５に記載の記録メディアカートリッジは、請求項４に記載の記録メディアカートリッジにおいて、前記遮蔽部材を支持する支持部材を、前記ケースに突設したことを特徴としている。
【００２４】
請求項５の発明では、ケースに突設した支持部材によって遮蔽部材を支持するので、遮蔽部材とメモリーとの離間距離（０．５ｍｍ〜２．５ｍｍ）を好適に維持することができる。
【００２５】
また、請求項６に記載の記録メディアカートリッジは、請求項４に記載の記録メディアカートリッジにおいて、前記遮蔽部材と前記メモリーとの間に、離間部材を介在させたことを特徴としている。
【００２６】
請求項６の発明では、遮蔽部材とメモリーとの間に離間部材を介在させたので、遮蔽部材とメモリーとの離間距離（０．５ｍｍ〜２．５ｍｍ）を精度よく維持することができる。
【００２７】
そして、請求項７に記載の記録メディアカートリッジは、請求項６に記載の記録メディアカートリッジにおいて、前記遮蔽部材又は前記離間部材を支持して、該離間部材と前記メモリーとを非接触にする支持部材を、前記ケースに突設したことを特徴としている。
【００２８】
請求項７の発明では、遮蔽部材又は離間部材をケースに突設された支持部材によって支持し、離間部材とメモリーとを非接触にしたので、離間部材がメモリーを傷つけるような不具合は発生しない。
【００２９】
また、請求項８に記載の記録メディアカートリッジは、請求項６に記載の記録メディアカートリッジにおいて、前記離間部材が、前記メモリーと接触して該メモリーを少なくとも一方向から位置規制することを特徴としている。
【００３０】
請求項８の発明では、離間部材がメモリーと接触して、そのメモリーを少なくとも一方向から位置規制するので、メモリーと遮蔽部材との離間距離（０．５ｍｍ〜２．５ｍｍ）を精度よく保つことができるとともに、メモリーのケースに対する位置を精度よく保つことができる。よって、読取書込装置によるアクセスエラーなどは一切発生しない。
【００３１】
更に、請求項９に記載の記録メディアカートリッジは、請求項８に記載の記録メディアカートリッジにおいて、前記離間部材が、弾性体であることを特徴としている。
【００３２】
請求項９の発明では、離間部材が弾性体であるため、メモリーと接触しても、そのメモリーを傷つけてしまうような不具合は発生しない。
【００３３】
そして、請求項１０に記載の記録メディアカートリッジは、請求項８又は９に記載の記録メディアカートリッジにおいて、前記離間部材が、非導電性材料で構成されていることを特徴としている。
【００３４】
請求項１０の発明では、離間部材が非導電性材料で構成されているので、離間部材がメモリーに接触していても、読取書込装置によるメモリーへのアクセスの精度が損なわれることがない。
【００３５】
【発明の実施の形態】
以下、本発明の実施の形態を図面に基づいて詳細に説明する。なお、説明の便宜上、記録メディアカートリッジのドライブ装置（バケット）への装填方向を図１の矢印Ｐで表す。そして、その矢印Ｐ方向を記録メディアカートリッジの前方向とし、それを基準に前後・左右・上下の表現をする。また、記録メディアの一例として磁気テープを採用し、以下、磁気テープカートリッジとして説明をする。
【００３６】
図１で示すように、磁気テープカートリッジ１０は、ケース１２を備えている。ケース１２は、上ケース２０と下ケース３０とを接合して構成されている。具体的には、上ケース２０は、平面視略矩形状の天板２２の外縁に沿って略枠状の周壁２４が立設されて構成されており、下ケース３０は、天板２２に略対応した形状の底板３２の外縁に沿って周壁３４が立設されて構成されている。そして、ケース１２は、周壁２４の開口端と周壁３４の開口端とを突き当てた状態で、超音波溶着やビス止め等によって上ケース２０と下ケース３０とが接合されて、略箱状に形成されている。
【００３７】
このケース１２には、ドライブ装置への装填方向先頭側の隅角部において、天板２２、周壁２４、底板３２、周壁３４がそれぞれ切り欠かれて、その装填方向に対して傾斜した開口１４が形成されている。また、底板３２の略中央部には、底板３２を貫通する円形状の開孔、即ちギア開口４０が設けられており、リールギア１８の露出用とされている。
【００３８】
また、ケース１２の底板３２の外面における前端近傍には、一対の位置決め穴３６、３８が開口している。一対の位置決め穴３６、３８は、底板３２からケース１２内方に立設された突部（図示省略）内に袋状に設けられ、上記装填方向に直交する仮想線上で互いに離間して配置されている。そして、開口１４に近い側の位置決め穴３６は、ドライブ装置の位置決めピンに外接する底面視略正方形状とされ、位置決め穴３８は、上記仮想線に沿って長手で、かつ幅が位置決めピンの直径に対応する長穴とされている。したがって、磁気テープカートリッジ１０がドライブ装置に装填されて位置決め穴３６、３８にそれぞれ位置決めピンが挿入されると、ドライブ装置内で水平方向（左右及び前後）に正確に位置決めされる構成である。
【００３９】
更に、底板３２における位置決め穴３６、３８廻りは、他の部分（意匠面）よりも平滑に仕上げられた位置決め面３６Ａ、３８Ａとされている。位置決め面３６Ａ、３８Ａは、位置決め穴３６、３８に位置決めピンが挿入されたときに、位置決めピン廻りに設けられたドライブ装置の位置決め面に当接するようになっている。これにより、磁気テープカートリッジ１０のドライブ装置内における鉛直方向の位置決めがなされる構成である。
【００４０】
以上、説明したケース１２内には、リール１６が１つだけ回転可能に収容される。このリール１６には、磁気テープＴが巻装されており、磁気テープＴの先端には、リーダー部材としてのリーダーブロック２８が取り付けられている。リーダーブロック２８は、磁気テープカートリッジ１０の不使用時には、ケース１２の開口１４の内側に収容保持されている。そして、この状態で、リーダーブロック２８は、開口１４を閉塞し、ケース１２内への塵埃等の侵入を阻止している。
【００４１】
また、リーダーブロック２８は、その先端に係合凹部２８Ａが形成されており、ドライブ装置内で磁気テープＴを引き出す際には、係合凹部２８Ａに係合する引出手段によってケース１２から抜き出されてドライブ装置の巻取リール（図示省略）に誘導されるようになっている。更に、リーダーブロック２８は、その係合凹部２８Ａとは反対側の端面が円弧面２８Ｂとされており、上記巻取リールに嵌入されることにより、磁気テープＴを巻き取る巻取面の一部を構成するようになっている。
【００４２】
以上のような磁気テープカートリッジ１０において、下ケース３０の後壁３４Ａの内側には、左右横方向が長い略矩形薄板状のメモリーボード５０が配設されている。このメモリーボード５０には、少なくとも磁気テープＴの種類や記録容量、記録形式等の各種情報が電気的に記憶されており、ドライブ装置１００等に設けられる読取書込装置６６（図１４参照）及びライブラリー７０のロボットハンド９０等に設けられる読取書込装置６８（図１２、図１３参照）から送受信される電磁波により、その情報が非接触で読み取られたり、又は新たな情報が書き込まれるようになっている。
【００４３】
すなわち、メモリーボード５０の通信面（アクセス面）５０Ａにはアンテナが設けられており、その通信面（アクセス面）５０Ａが各種情報（データ）の読み取り及び書き込みが可能な送受信面（単に受信面又は送信面であってもよい）とされている。なお、メモリーボード５０との通信方式としては、上記した電磁波以外に磁場などが適用されることは言うまでもない。
【００４４】
また、図２、図３で示すように、この非接触型のメモリーボード５０は、下ケース３０の右後隅角部近傍における後壁３４Ａの内面に、その通信面５０Ａが面接するとともに、その下端部が下ケース３０の底板３２内面に所定間隔を隔てて突設された一対の保持突起４２により支持されて配置されている。後壁３４Ａは側面視で底板３２に対し、仰角θ＝３０°〜６０°、好ましくはθ＝４５°の傾斜壁に成形されており、そのメモリーボード５０が側面視で上記角度に傾斜配置されるようになっている。
【００４５】
したがって、後壁３４Ａの内面に面接するメモリーボード５０の通信面（アクセス面）５０Ａは、下ケース３０の底板３２側及び後壁３４Ａ側の両方向を同時に向くことができ、これによってメモリーボード５０に対して、ライブラリー７０に設けられた読取書込装置６８が後壁３４Ａ側からアクセスできるとともに、ドライブ装置１００に設けられた読取書込装置６６が底板３２側からアクセスできる。つまり、メモリーボード５０を上記角度に傾斜配置することにより、ライブラリー７０における読取書込装置６８及びドライブ装置１００における読取書込装置６６の配設位置の自由度を向上させることができる。
【００４６】
なお、図示のものは、後壁３４Ａ自体が側面視でθ＝３０°〜６０°、好ましくはθ＝４５°となる傾斜壁に成形されているが、少なくとも後壁３４Ａの内面側が側面視で上記角度となる傾斜面に成形されていればよい。また、後壁３４Ａやその内面が上記角度の傾斜壁（面）とされてなくても、メモリーボード５０が側面視でθ＝３０°〜６０°、好ましくはθ＝４５°に傾斜配置されていればよい。
【００４７】
ここで、磁気テープカートリッジ１０を収納するライブラリー７０について説明する。図１２、図１３で示すように、ライブラリー７０に備えられている把持機構７２は、ライブラリー７０に収納されている磁気テープカートリッジ１０を、そのライブラリー７０から取り出してドライブ装置１００に装填したり、ドライブ装置１００から取り出して再びライブラリー７０に戻したりする作業を自動的に行うものであり、ライブラリー７０とドライブ装置１００の間を自在に移動できるように構成されている。
【００４８】
すなわち、ロボットハンド９０が先端に取り付けられたアーム７３は、旋回装置７４に固定されており、ライブラリー７０とドライブ装置１００の間を自在に旋回可能になっている。旋回装置７４は基台７６の上に固定されており、基台７６は、図示しない駆動機構により、支持台８０に敷設されたレール７８上をスライド移動可能になっている。
【００４９】
支持台８０は、昇降装置８６から駆動力を伝達され、キャリア８４から立設されたガイド支柱８２に沿って昇降移動可能になっており、キャリア８４はレール７８と直交する方向へ敷設されたレール８８に沿って移動可能になっている。したがって、アーム７３の先端に取り付けられたロボットハンド９０は、各収納室７１とドライブ装置１００の各装填口１０２との間を自在に移動することができる。
【００５０】
ロボットハンド９０は、平面視略「コ」字状をなしており、その一方の爪部９２がサポート部９６と一体に形成されて固定され、他方の爪部９４がサポート部９６に取り付けられたシリンダー９８のピストンロッド９８Ａの先端に取り付けられている。そして、このピストンロッド９８Ａを伸縮させることにより爪部９２と爪部９４の間隔を調節し、それによって磁気テープカートリッジ１０の左壁と右壁の後端側を好適に挟持（把持）できるようになっている。
【００５１】
また、このロボットハンド９０にはメモリーボード５０に記憶されている各種情報を非接触で読み取り・書き込み（アクセス）を行う読取書込装置６８が設けられている。すなわち、ロボットハンド９０は、爪部９２、９４が磁気テープカートリッジ１０の左壁と右壁の後端側をそれぞれ外側から把持（挟持）するので、サポート部９６は後壁３４Ａと対向することになり、読取書込装置６８はそのサポート部９６の右側内面に設けられて、磁気テープカートリッジ１０の後面（後壁３４Ａ）側からメモリーボード５０にアクセス可能になっている。
【００５２】
したがって、磁気テープカートリッジ１０をロボットハンド９０が把持した際に、その磁気テープカートリッジ１０の記録容量等の各種情報が読取書込装置６８によって読み取られ、制御装置（図示省略）にその情報が伝達される。そして、それに適したドライブ装置１００が予め制御装置に認識された複数のドライブ装置の中から選択され、その選択されたドライブ装置１００にスムーズに装填される。
【００５３】
つまり、各磁気テープカートリッジ１０の各種情報を読み取ることにより、その磁気テープカートリッジ１０を記録・再生可能なドライブ装置１００がどれかを、制御装置が事前に（磁気テープカートリッジ１０を取り出す前に）選択することができるので、ライブラリー７０からドライブ装置１００への移動がスムーズに行われる。したがって、データの書き込み開始時間（アクセス開始時間）を短縮することができ、データ処理効率を向上させることができる。なお、ライブラリー７０の読取書込装置６８は、ロボットハンド９０が磁気テープカートリッジ１０を把持したとき、あるいは把持する直前にメモリーボード５０の情報を読み取り・書き込み可能な状態となるように構成されていることが好ましい。
【００５４】
次に、磁気テープカートリッジ１０が装填されるドライブ装置１００のバケット１０４について説明する。図１４で示すように、バケット１０４は、その左右両端面にそれぞれ３個のガイドピン１０８が突設され、これらガイドピン１０８が、ドライブ装置１００内の左右側壁１０５Ａ、１０５Ｂにそれぞれ設けられた側面視略「Ｌ」字状の３個のガイド孔１０６に挿通されて支持され、ガイド孔１０６に沿って移動可能に構成されている。そして、ドライブ装置１００内において、バケット１０４よりも下方側の所定位置には、メモリーボード５０に記憶されている各種情報を非接触で読み取り、かつ必要に応じて新たな情報を非接触で書き込む読取書込装置６６が配設されている。
【００５５】
したがって、磁気テープカートリッジ１０がドライブ装置１００の装填口１０２から挿入されてバケット１０４上に載置されると、そのバケット１０４は、ガイド孔１０６に案内されながら、まず水平方向に移動し、次いで鉛直方向に下降移動して、磁気テープカートリッジ１０のリールギア１８をドライブ装置１００側の駆動ギア（図示省略）に噛合させる。そして、磁気テープカートリッジ１０がドライブ装置１００に完全に装填されると、読取書込装置６６は、磁気テープカートリッジ１０の底板３２側からメモリーボード５０にアクセスし、メモリーボード５０に記憶されている情報を読み取り、場合によっては新たな情報をメモリーボード５０に書き込むようになっている。
【００５６】
以上、説明したように、ライブラリー７０の読取書込装置６８及びドライブ装置１００の読取書込装置６６は、磁気テープカートリッジ１０に内蔵されたメモリーボード５０に対して非接触でアクセス可能であるが、この磁気テープカートリッジ１０には、図２、図３で示すように、メモリーボード５０の通信面（アクセス面）５０Ａを除く面側、即ち通信面（アクセス面）５０Ａの裏面である非アクセス面５０Ｂ側と、周縁端面５０Ｃ側からのアクセスを禁止するために、その非アクセス面５０Ｂ及び周縁端面５０Ｃを被覆して電磁遮蔽するシールド部材６０が設けられている。
【００５７】
このシールド部材６０は、少なくとも電磁波や磁場（強磁気）を遮蔽できる金属材料で成形されていればよく、例えばステンレス、スチール、アルミニウム（箔も含む）等の軽量な金属で成形されるのが好ましい。また、このシールド部材６０は、メモリーボード５０の非アクセス面５０Ｂ及び周縁端面５０Ｃ全体を被覆可能な大きさに形成されるのが好ましく、この場合は、メモリーボード５０の大きさと同じか、それ以上の略矩形平板状に形成されるのが好ましい。このような大きさに形成されると、電磁波や磁場等を好適に遮蔽することができる。また、その厚さは、重量の規定から（磁気テープカートリッジ１０を重たくしないため）１．０ｍｍ以下が好ましい。
【００５８】
更に、図示のシールド部材６０は、その周縁部に、高さがメモリーボード５０の少なくとも厚さ分以上となる（実際には、後述する離間距離Ｗも含んだ高さとなる）周壁６４が、同様に１．０ｍｍ以下の厚さで一体的に立設されているが、シールド部材６０の形状は図示のものに限定されるものではなく、メモリーボード５０の形状に合わせて適宜その形状を変更して構わない。つまり、メモリーボード５０の形状も図示の略矩形薄板状に限定されるものではなく、例えば棒状や、ケース１２の隅角部に沿って配置できるように平面視略「Ｌ」字状に屈曲形成された場合には、それに合わせてシールド部材６０の形状も変更される。
【００５９】
さて、このようなシールド部材６０は、メモリーボード５０とは非接触状態でケース１２に支持されている。すなわち、このシールド部材６０は、図示するように、その下端部が下ケース３０の底板３２内面に所定間隔を隔てて（保持突起４２よりも外側に）突設された一対の保持突起４４に支持されるとともに、周壁６４の開口端が後壁３４Ａの内面に当接することによって支持されている。そして、このとき、その内面６２Ａは、メモリーボード５０の非アクセス面５０Ｂと、その非アクセス面５０Ｂに直交する方向で、距離Ｗ＝０．５ｍｍ〜２．５ｍｍ離間されている（したがって、周壁６４の高さは、メモリーボード５０の厚さ＋離間距離Ｗ程度となる）。
【００６０】
これは、メモリーボード５０（非アクセス面５０Ｂ）とシールド部材６０（内面６２Ａ）との間の離間距離Ｗが０．５ｍｍより短いと、読取書込装置６６、６８から送受信される電磁波により、精度よく読み取り・書き込み（アクセス）することができず、特に両者が接触している場合には、読み取り・書き込み（アクセス）が不可能となるからである。そして、その離間距離Ｗが２．５ｍｍより長いと、有害な（読取書込装置６６、６８とは関係のない）電磁波及び磁場等を充分にシールド（遮蔽）できず、その有害な電磁波及び磁場等の影響をメモリーボード５０が受けてしまうからである。
【００６１】
したがって、上記離間距離Ｗは０．５ｍｍ以上、２．５ｍｍ以下と規定するものであって、安定して読み書きできるようにするためには、離間距離Ｗを２．０ｍｍとするのが好ましい。なお、メモリーボード５０の周縁端面５０Ｃと周壁６４の内面６４Ａとの離間距離Ｄは、少なくとも両者が接触しない程度であればよく、例えば離間距離Ｄは０．５ｍｍ以上に設定されていればよい。
【００６２】
何れにしても、このようなシールド部材６０を設けると、シールド部材６０に被覆されていない通信面（アクセス面）５０Ａ側からのみ、メモリーボード５０にアクセスが可能となる。すなわち、後壁３４Ａ側と底板３２側からのみ、メモリーボード５０にアクセスが可能となり、それ以外の面（非アクセス面５０Ｂ及び周縁端面５０Ｃ）からのアクセスは不可能になる（電磁波及び磁場等は遮蔽される）。
【００６３】
したがって、例えば磁気テープカートリッジ１０の天板２２上に、電磁波や磁場等を発生させる機器等が載置されたり、近づけられても、メモリーボード５０に記憶された各種情報（データ）が、書き換えられたり、消去されたりすることはなく、その各種情報（データ）が破損するような不具合は起きない。また、ドライブ装置１００に装填されたときにも、メモリーボード５０は、ドライブ装置１００内に多数存在する電気を帯びた部位や磁気を帯びた部位からの影響を回避することができる。なお、図示のシールド部材６０の下端部には、保持突起４２と干渉しないように切欠部６０Ａが形成されているが、保持突起４２、４４の位置を適宜変更すれば、このような切欠部６０Ａを設けなくてもよいことは言うまでもない。
【００６４】
また、図４で示すように、後壁３４Ａに、メモリーボード５０の通信面（アクセス面）５０Ａの一部、好ましくは略全部を露出させて、アンテナが外から見えるようにする開口３４Ｂを穿設してもよい。このような開口３４Ｂを設けると、通信経路上の障害物（後壁３４Ａ）を低減できるので、より一層精度よくアクセスできるようになる。なお、この開口３４Ｂは、図４（Ａ）で示すように、下向きに開口させてもよいし、図４（Ｂ）で示すように、後向きに開口させてもよい。
【００６５】
また、この開口３４Ｂは、図４（Ａ）と図４（Ｂ）を組み合わせたような形状等にしてもよい。例えば開口３４Ｂの上縁部を後向き（図４（Ｂ）の上縁部と同じ形状）とし、下縁部を下向き（図４（Ａ）の下縁部と同じ形状）としてもよい。更に、後壁３４Ａのメモリーボード５０が配置される部分に多数の小孔（図示省略）を穿設して開口３４Ｂとしてもよい。なお、このような開口３４Ｂを穿設すると、ケース１２内への塵埃等の侵入が懸念されるが、シールド部材６０は、開口３４Ｂを内側から覆うように（閉塞するように）配置されるので、ケース１２内への塵埃等の侵入は、それによって防止される。また、ケース１２内への塵埃等の侵入を防止する観点で言えば、開口３４Ｂを透明な窓部（図示省略）としてもよい。
【００６６】
また、シールド部材６０は、次のような構成によってケース１２内に支持されるようにしてもよい。すなわち、図５、図６で示すように、後壁３４Ａの内面に、少なくともメモリーボード５０の横幅以上の間隔を隔てて縦長のリブ４６、４８を一体的に突設し、そのリブ４６、４８の間にメモリーボード５０を配置する。そして、そのリブ４６、４８を含んでメモリーボード５０を被覆するように、シールド部材６０を配置する。つまり、シールド部材６０の下端部を保持突起４４に支持させるとともに、リブ４６、４８の前面４６Ａ、４８Ａを内面６２Ａに当接させ、上記距離Ｗ離間した状態でシールド部材６０を支持する（したがって、リブ４６、４８の突出高さは、周壁６４と同じ程度、即ちメモリーボード５０の厚さ＋離間距離Ｗ程度となる）。
【００６７】
このような構成にすれば、シールド部材６０とメモリーボード５０との離間距離Ｗを好適に維持することができる。なお、このときは、図示するように、シールド部材６０はリブ４６、４８によって支持されるので、周壁６４がなくてもよい。周壁６４を設けない場合には、リブ４６、４８の外側面４６Ｂ、４８Ｂ等にシールド部材６０と同様の金属材料、例えばアルミ箔等を貼着するのが好ましい。また、リブ４６、４８の内側面４６Ｃ、４８Ｃとメモリーボード５０の周縁端面５０Ｃとの離間距離Ｄは、上記と同様に０．５ｍｍ以上あればよい。更に、リブ４６、４８の形状は図示のものに限定されるものではなく、例えばリブ４６、４８の上端同士及び下端同士を横長のリブ（図示省略）で一体的に連設して額縁状とし、メモリーボード５０をその中（四方をリブで囲まれた中）に配置して、シールド部材６０をその額縁状のリブで支持するようにしてもよい。
【００６８】
また、シールド部材６０を次のように構成して支持してもよい。すなわち、図７、図９（Ａ）で示すように、シールド部材６０のメモリーボード５０の非アクセス面５０Ｂに対向する内面６２Ａに、所定厚さ、即ち上記離間距離Ｗ＝０．５ｍｍ〜２．５ｍｍと同じ厚さの離間部材５８を一体的に貼着し、メモリーボード５０の非アクセス面５０Ｂに、その離間部材５８を接触させた状態で、シールド部材６０の下端部を保持突起４４で支持するようにしてもよい。なお、このとき更に、図８で示すように、リブ４６、４８を設け、その前面４６Ａ、４８Ａをシールド部材６０の内面６２Ａに当接させて支持するようにしてもよい。
【００６９】
何れにしても、このときの離間部材５８は、メモリーボード５０と接触するので、読取書込装置６６、６８によるアクセス精度に支障がないように、非導電性材料で構成される。また、この離間部材５８は、メモリーボード５０を傷つけないように、弾性体で構成されるのが好ましく、更には軽量であることが好ましい。したがって、この離間部材５８は、例えばウレタン等で構成されるのが好ましい。なお、シールド部材６０は離間部材５８を介してメモリーボード５０に支持されるので、上記と同様に周壁６４がなくてもよいが、周壁６４はあった方が好ましい。
【００７０】
また、メモリーボード５０は、離間部材５８を介してシールド部材６０に押さえられることになるので、少なくともその方向からの位置が規制される。したがって、シールド部材６０とメモリーボード５０との離間距離Ｗを精度よく維持することができるとともに、メモリーボード５０のケース１２（下ケース３０）に対する位置を精度よく維持することができる。よって、読取書込装置６６、６８はメモリーボード５０に対して確実にアクセスすることができ、アクセスエラーが発生するようなことは一切ない。
【００７１】
なお、図９（Ｂ）で示すように、リブ４６、４８の突出高さを高く形成してシールド部材６０を支持し、メモリーボード５０と離間部材５８との間が非接触状態になるようにしてもよい。これによれば、離間部材５８の材質に拘わらず、その離間部材５８がメモリーボード５０を傷つけるような不具合が発生しない。また、そのリブ４６、４８の突出高さを高くするのではなく、離間部材５８をシールド部材６０と同じ大きさに形成して、その離間部材５８をリブ４６、４８で支持し、メモリーボード５０と離間部材５８との間が非接触状態になるようにしてもよい。
【００７２】
その他、下ケース３０の底板３２側からしかメモリーボード５０にアクセスできないような場合、つまり、メモリーボード５０の通信面（アクセス面）５０Ａが下ケース３０の底板３２に面接するように載置された場合には、メモリーボード５０の非アクセス面５０Ｂと天板２２内面との距離が長くなって、天板２２上（外面）に載置又は近づけられた機器等からの電磁波や磁場等の影響が軽減されるが、上記と同様にシールド部材６０を設けることが好ましい。
【００７３】
この場合は、特に周壁６４を備えたシールド部材６０として、メモリーボード５０の非アクセス面５０Ｂと、それを上方から被覆するシールド部材６０の内面６２Ａとの間に、上記離間距離Ｗが生じるように配置することが好ましいが、離間部材５８、あるいはリブ４６、４８を適宜位置に設けて、メモリーボード５０の非アクセス面５０Ｂと、それを上方から被覆するシールド部材６０の内面６２Ａとの間に、上記離間距離Ｗが生じるように配置してもよい。また、このような構成の場合、読取書込装置６８が下ケース３０の底板３２側から読み取り・書き込み（アクセス）できるように、ロボットハンド９０が構成されることは言うまでもない。
【００７４】
また、図１０、図１１（Ａ）で示すように、上ケース２０の天板２２内面には、上方からメモリーボード５０を押さえるための一対の押さえ部材２６が垂設されている。この押さえ部材２６は、所定幅の平板状に形成され、上ケース２０の成形上、即ち成形品を積み重ね可能にすることと、金型からの取り出しをしやすくする（離型抵抗を軽減する）ため、周壁２４と略同じ高さに（±１ｍｍ程度の誤差で）突設されている。したがって、メモリーボード５０の非アクセス面５０Ｂを押さえるには、その突出長さが足りないようになっている。
【００７５】
そのため、メモリーボード５０の非アクセス面５０Ｂと、押さえ部材２６との間にはスペーサー５２が設けられている。このスペーサー５２は、特に形状等が限定されるものではないが、図示するように、例えば角柱状に形成され、その下端部が保持突起４４等に支持されるとともに、メモリーボード５０の非アクセス面５０Ｂに下面５４が接触した状態で、押さえ部材２６がその上面５６に当接するように構成されている。つまり、このスペーサー５２は、押さえ部材２６の上方からの押圧力がメモリーボード５０に適度に作用するように、その高さ（厚さ）が精度よく設定されている。
【００７６】
したがって、図１１（Ｂ）で示すように、上記したようなシールド部材６０が設けられた場合には、そのシールド部材６０の外面６２Ｂに当接するように、その高さ（厚さ）が適宜設計変更される。なお、このようなスペーサー５２を設けるのではなく、シールド部材６０自体の厚さを厚くして、スペーサー５２を兼ねるように構成してもよいことは言うまでもない。また、このスペーサー５２は、上記した離間部材５８と同様に、非導電性材料で構成され、メモリーボード５０を傷つけないように、弾性体で構成されるのが好ましく、更には軽量であることが好ましい。そのため、このスペーサー５２も、例えばウレタン等で構成するのが好ましい。
【００７７】
次に、この磁気テープカートリッジ１０の作用を説明する。磁気テープカートリッジ１０は、不使用時（ドライブ装置１００に装填しないとき）には、開口１４がリーダーブロック２８によって閉塞されている。そして、各磁気テープカートリッジ１０は、この状態でライブラリー７０の各収納室７１に収納されており、所望とする磁気テープカートリッジ１０をライブラリー７０から取り出すときには、ロボットハンド９０に設けられた読取書込装置６８が、その磁気テープカートリッジ１０の後壁３４Ａ側からメモリーボード５０にアクセスし、それに記憶されている記録容量等の各種情報を読み取るとともに、その情報を制御装置に伝達する。
【００７８】
これにより、その磁気テープカートリッジ１０に最適な（磁気テープカートリッジ１０が記録・再生可能な）ドライブ装置１００が予め制御装置に認識され、磁気テープカートリッジ１０は、ロボットハンド９０を備えた把持機構７２によって、スムーズに、かつ効率よく、そのドライブ装置１００の装填口１０２に装填される。磁気テープカートリッジ１０がドライブ装置１００の装填口１０２に装填されてバケット１０４上に載置されると、バケット１０４はガイド孔１０６に沿って移動し、所定位置で下降することによって駆動ギアとリールギア１８とを噛合させる。また、磁気テープカートリッジ１０がバケット１０４に装填されると、バケット１０４の下方側に設けられた読取書込装置６６が、磁気テープカートリッジ１０の底板３２側からメモリーボード５０にアクセスし、それに記憶されている各種情報を読み取り、更には必要に応じて個別の情報を書き込む。
【００７９】
一方、磁気テープカートリッジ１０には、ドライブ装置１００の引出手段がリーダーブロック２８の前端側に設けられた係合凹部２８Ａと係合し、リーダーブロック２８を開口１４から引き出す。開口１４から引き出されたリーダーブロック２８は、ドライブ装置１００側の巻取リール（図示省略）へ移動させられ、そのリールハブ（図示省略）に嵌入される。このとき、リーダーブロック２８の円弧面２８Ｂがリールハブの一部を構成する。そして、磁気テープＴが巻取リールに巻き取り可能とされた状態で、駆動ギアを介してリールギア１８を回転させるとともに、巻取リールを回転させる。こうして、磁気テープＴを巻き取りながら、その磁気テープＴにデータの記録又は磁気テープＴに記録されたデータの再生が行われる。
【００８０】
磁気テープカートリッジ１０をドライブ装置１００から取り出すときには、磁気テープＴをリール１６に巻き戻し、リーダーブロック２８を巻取リールのリールハブから抜き取り、磁気テープカートリッジ１０の開口１４を閉塞するようにケース１２へ戻す。そして、引出手段が係合凹部２８Ａから外れ、バケット１０４が上昇移動することにより、ドライブ装置１００の装填口１０２から排出される。ドライブ装置１００の装填口１０２から排出された磁気テープカートリッジ１０は、再びロボットハンド９０に把持（挟持）されてライブラリー７０へ搬送され、所定の収納室７１に収納される。
【００８１】
ここで、例えば磁気テープカートリッジ１０をライブラリー７０へ収納する前やライブラリー７０から取り出したときに、その天板２２上や周壁３４近傍（後壁３４Ａを除く）に電磁波あるいは磁場等を発生する機器等を載置又は近づけても、メモリーボード５０の非アクセス面５０Ｂ側及び周縁端面５０Ｃ側にはシールド部材６０が設けられ、通信面（アクセス面）５０Ａ以外の面側、即ち後面（後壁３４Ａ）及び下面（底板３２）以外の面側からのアクセスが不可能になっているので、メモリーボード５０に記憶されている各種情報（データ）が、その電磁波や磁場等によって破損するような不具合は起きない。また、ドライブ装置１００に装填されたときにも、メモリーボード５０は、ドライブ装置１００内に多数存在する電気を帯びた部位や磁気を帯びた部位からの影響をシールド部材６０によって回避することができる。
【００８２】
なお、上記実施の形態ではメモリーボード５０を右後隅角部近傍に配設したが、これに限定されるものではなく、例えば左後隅角部近傍に配設しても構わない。ただし、メモリーボード５０にアクセスする読取書込装置６６、６８の送受信出力を考慮した場合、メモリーボード５０がケース１２の周壁３４近傍に配置されていると、その出力を最小限にすることができるので好ましい。
【００８３】
また、上記実施の形態では、磁気テープカートリッジ１０がリーダーブロック２８を有する構成を示したが、磁気テープカートリッジ１０は、これに限定されるものではなく、例えば磁気テープＴの先端にリーダー部材として、小円柱状のリーダーピンが取り付けられた構成としてもよく、開口１４を開閉する遮蔽部材（所定の直線又は円弧に沿って移動するスライドドア等）を有する構成としてもよい。
【００８４】
また、上記実施の形態では、記録メディアカートリッジの例として、磁気テープカートリッジを挙げたが、本発明に係る記録メディアカートリッジは、磁気テープの代わりに、磁気ディスク、光ディスク、光磁気ディスク等のディスクメディアを収容した記録ディスクカートリッジも含まれることは言うまでもない。
【００８５】
【発明の効果】
以上、何れにしても本発明によれば、メモリーの読取書込装置とのアクセス部位以外が、遮蔽部材によって電磁遮蔽されるので、メモリーは、そのアクセス部位以外からは、アクセスが不可能となる。したがって、メモリーは、そのアクセス部位以外の方向からの電磁波や磁場等の影響を回避できるため、例えば、その方向に電磁波や磁場等を発生する機器等を置いても、メモリーに記憶されている情報が、それによって破損する心配がない。
【図面の簡単な説明】
【図１】（Ａ）磁気テープカートリッジを上方から見た概略斜視図
（Ｂ）磁気テープカートリッジを下方から見た概略斜視図
【図２】後壁とメモリーボードとシールド部材を示す概略斜視図
【図３】（Ａ）後壁とメモリーボードとシールド部材を示す概略側断面図
（Ｂ）後壁とメモリーボードとシールド部材を示す概略平断面図
【図４】開口が穿設された後壁とメモリーボードとシールド部材を示す概略側断面図
【図５】後壁とメモリーボードとシールド部材を示す概略斜視図
【図６】（Ａ）後壁とメモリーボードとシールド部材を示す概略側断面図
（Ｂ）後壁とメモリーボードとシールド部材を示す概略平断面図
【図７】後壁とメモリーボードと離間部材とシールド部材を示す概略斜視図
【図８】後壁とメモリーボードと離間部材とシールド部材を示す概略斜視図
【図９】（Ａ）後壁とメモリーボードと離間部材とシールド部材を示す概略側断面図
（Ｂ）後壁とメモリーボードと離間部材とシールド部材を示す概略側断面図
【図１０】後壁とメモリーボードとスペーサーと押さえ部材を示す概略斜視図
【図１１】（Ａ）メモリーボードとスペーサーと押さえ部材を示す概略側断面図
（Ｂ）メモリーボードとスペーサーと押さえ部材を示す概略側断面図
【図１２】ライブラリーとドライブ装置を示す概略斜視図
【図１３】ライブラリーとドライブ装置を示す概略斜視図
【図１４】バケットの概略斜視図
【図１５】従来の磁気テープカートリッジの概略斜視図
【符号の説明】
１０  磁気テープカートリッジ（記録メディアカートリッジ）
１２  ケース
２０  上ケース
２２  天板
２４  周壁
２６  押さえ部材
３０  下ケース
３２  底板
３４  周壁
３４Ａ  後壁
４２、４４  保持突起
４６、４８  リブ（支持部材）
５０  メモリーボード（メモリー）
５０Ａ  通信面（アクセス面）
５０Ｂ  非アクセス面
５０Ｃ  周縁端面
５２  スペーサー
５８  離間部材
６０  シールド部材（遮蔽部材）
６４  周壁
６６、６８  読取書込装置
７０  ライブラリー
１００  ドライブ装置
【図１】
2004348862.tif 000003
【図２】
2004348862.tif 000004
【図３】
2004348862.tif 000005
【図４】
2004348862.tif 000006
【図５】
2004348862.tif 000007
【図６】
2004348862.tif 000008
【図７】
2004348862.tif 000009
【図８】
2004348862.tif 000010
【図９】
2004348862.tif 000011
【図１０】
2004348862.tif 000012
【図１１】
2004348862.tif 000013
【図１２】
2004348862.tif 000014
【図１３】
2004348862.tif 000015
【図１４】
2004348862.tif 000016
【図１５】
2004348862.tif 000017